(57)【要約】【課題】  コア部、Ｉ／Ｏ部に２個或いはそれ以上の電源を従属的に制御する必要がある被駆動回路に複雑な組み合わせ、最適なタイミングで電力供給を制御し、より低消費電力化を図れる電源装置を提供する。【解決手段】  ２個以上の電源を従属的に制御する必要がある被駆動回路１１と、前記被駆動回路１１の供給する電圧に応じた電力を供給する電源供給回路６と、被駆動回路１１における電源供給条件に応じて与えられる被駆動回路電源供給状態信号と、前記被駆動回路の状態を検出する状態検出信号と前記被駆動回路の状態を検出する状態検出信号により前記電源供給回路の駆動を制御する電力供給制御信号を生成する電源供給回路用制御信号生成回路と、から構成される。【選択図】  図１
2006139801.tif 000002
【特許請求の範囲】
【請求項１】
２個以上の電源を従属的に制御する必要があり、異なる電圧で動作する複数の回路が内蔵された被駆動回路と、前記被駆動回路に内蔵された複数の回路にそれぞれ供給する電圧に応じた電力を供給する電源供給回路と、前記電源供給回路の駆動を制御する電力供給制御信号により前記被駆動回路の複数の回路への電圧入力部のＯＮ／ＯＦＦの組み合わせ条件に対応する制御信号を生成する電源供給回路用制御信号生成回路と、を備えたことを特徴とする電源装置。
【発明の詳細な説明】
【技術分野】
【０００１】
本発明は、携帯電話や携帯情報端末などの電池を電源とする機器に好適に用いることができる電源装置に関する。
【背景技術】
【０００２】
携帯電話や携帯情報端末などは、電池を電源としてその電圧を所定の電圧に変換して各機能ブロックに供給する電源装置を備えている。
【０００３】
従属的に設けられたＤＣ／ＤＣコンバータや電圧レギュレータ等の電力供給回路の動作を制御することで低消費電力化を図る電源装置が開示されている（特許文献１参照）。
【０００４】
図１７に従い上記電源装置につき説明する。図１７に示す電源装置は、第１電池７０の電力を、電力供給回路６２及びダイオード６４を介して被駆動回路６５に与える。この被駆動回路６５には、第２電池６１の電力がダイオード６３を介して供給される。
【０００５】
上記の電池６１およびダイオード６３は、電池７０による被駆動回路６３への電力供給が途絶えたときのバックアップ用として備えられている。
【０００６】
電源である電池７０には１次電力供給回路７１（複数存在する場合もある）が接続されており、この１次電力供給回路７１には２次電力供給回路１２が接続されている。１次電力供給回路７１は、例えば３．０Ｖの電力を電源ライン９１を通じて第１の被駆動回路８１に供給し、２次電力供給回路７２は、例えば２．０Ｖの電力を電源ライン９２を通じて第２の被駆動回路８２に供給する。第１の被駆動回路８１と第２の被駆動回路８２とは、データ線８３によって接続されており、第２の被駆動回路８２は第１の被駆動回路８１が出力するデータをデータ線８３を介して受け取って上記データを加工するといった処理を行い、また、第１の被駆動回路８１は、第２の被駆動回路８２にて加工されたデータを受け取って更に加工するといった処理を行う。
【０００７】
第１の被駆動回路８１と第２の被駆動回路８２とが必ずしも両方同時に起動するわけではなく、第１の被駆動回路８１のみが動作する場合がある。一方、第２の被駆動回路８２のみが動作する場合はなく、第２の被駆動回路８２が動作するときには、必ず第１の被駆動回路８１が動作している。
【０００８】
制御回路７３は、電圧検出回路１３０と２次電力制御部１３１とを備える。制御回路７３は、前記の１次電力供給回路７１が起動すると、所定の遅れ時間の後に予定電圧を供給できる状態となる。電圧検出回路１３０の１次電圧検出部は、１次電力供給回路７１の供給電圧が所定電圧になったときに、Ｈｉｇｈ信号を２次電力制御部１３１に出力する。なお、２次電力制御部１３１における１次発振部は、１次電力供給回路７１が起動すると同時に発振を開始するが、その発振状態が安定するまでには、所定期間を必要としている。
【０００９】
２次電力制御部１３１における１次リセット生成部１３２は、二つのフリップフロップによって構成されており、電圧検出回路１３０の１次電圧検出部からＨｉｇｈ信号が出力された後の一定期間後に、Ｈｉｇｈのリセット信号を出力する。このリセット信号は第１の被駆動回路８１に与えられる。Ｈｉｇｈのリセット信号を与えられた第１の被駆動回路８１は、その時点で前記の安定な発振出力を得るとともに、１次電力供給回路７１から電源ライン９１を通じて必要な電力を得て動作を開始することになる。なお、前記の１次発振部及び１次リセット生成部は１次電力供給回路７１から電力を得て駆動する。
【００１０】
第１の被駆動回路８１は、処理したデータを第２の被駆動回路８２に受け渡すときには、この第２の被駆動回路８２を動作させることを指示する信号を２次電力制御部１３１の２次電力供給制御信号生成部に与える。２次電力供給制御信号生成部は、この指示信号を受け取ると、２次電力供給制御信号を２次電力供給回路７２及び電圧検出回路１３０における２次電圧検出部に与える。なお、１次電圧検出部の検出出力は、２次電力供給制御信号生成部に入力されており、この２次電力供給制御信号生成部は、前記の検出出力としてＨｉｇｈの信号が得られるまでは、たとえ前記指示信号を受け取ったとしても、２次電圧供給回路７２を作動させないように制御する。また、前記の検出出力がＬｏｗの信号となったときには、２次電圧供給回路７２を停止させる制御を行う。
【００１１】
２次電圧検出部は、Ｈｉｇｈの２次電力供給制御信号を受け取ると検出を開始する。また、２次電力供給回路７２は２次電力供給制御信号を受けると起動する。２次電力供給回路７２が起動すると、所定の遅れ時間の後に予定電圧を供給できる状態となる。
【００１２】
電圧検出回路１３０の２次電圧検出部は、２次電力供給回路７２の供給電圧が所定電圧になったときに、Ｈｉｇｈ信号を２次電力制御部１３１に出力する。なお、２次電力制御部１３１における２次発振部は、２次電力供給回路７２が起動すると同時に発振を開始するが、その発振状態が安定するまでには、所定期間を必要とする。
【００１３】
２次電力制御部１３１における２次リセット生成部は、電圧検出回路１３０の２次電圧検出部からＨｉｇｈ信号が出力された後の一定期間後に、Ｈｉｇｈのリセット信号を出力する。このリセット信号は第２の被駆動回路８２に与えられる。Ｈｉｇｈのリセット信号を与えられた第２の被駆動回路８２は、その時点から前記の安定な発振出力を得るとともに、前記の２次電力供給回路７２から電源ライン９２を通じて必要な電力を得て動作を開始することになる。なお、前記の２次発振部及び２次リセット生成部は２次電力供給回路７２から電力を得て駆動する。
【００１４】
上記の構成であれば、主たる電力供給回路（１次電力供給回路）を駆動するときにはこれに従属する他の電力供給回路（２次電力供給回路）を常態的に動作させる構成に比べて低消費電力化が図れる。即ち、従属する電力供給回路における電力の供給常態を必要なときのみ行うことが可能となる。
【００１５】
ところで、最近、携帯電話や携帯情報端末などの電池を電源とする機器においてもデバイスのコア部、Ｉ／Ｏ部に２個或いはそれ以上の電源を従属的に制御する必要があるシステムが採用されている
従来のデバイスのコア部、Ｉ／Ｏ部に２個或いはそれ以上の電源を従属的に制御する必要があるシステムは、図１８に示すように、電池からなる電源１０１の電力を図示しない電源供給回路から被駆動回路に与え、被駆動回路内の制御信号生成回路１０２からコア部、Ｉ／Ｏ部に２個或いはそれ以上の電源を従属的に制御する必要があるデバイス（以下、単に従属関係を有するデバイスという。）１１０1から１１０nに制御信号を与える。従属関係を有するデバイス１１０1から１１０nには、被駆動回路からの電力供給制御回路からの電力供給制御信号に基づき電源１０１から電力が供給される。
【００１６】
従属関係を有するデバイス１１０1には、電源供給回路１１１を備え、この電源供給回路１１からデバイスのコア部、Ｉ／Ｏ部に２個或いはそれ以上の電源を従属的に制御する必要がある被駆動回路１１２に電源を供給する。
【００１７】
この場合、デバイス１１０1内で低い電圧でも動作する回路部を保有していても、デバイス１１０1内で一番高い電圧となる回路に合わせて単一電源が供給されるため低消費電力化が図れない。
【００１８】
図１９に示すように、各従属関係を有するデバイス１１０1から１１０nには、それぞれ複数の電源供給回路１１１1から１１１nを備え、被駆動回路１１２への電源供給を複数の電源で供給するように構成したものがある。システムより各電源供給回路１１１1から１１１nにＯＮ／ＯＦＦ制御信号、待機状態ＯＮ／ＯＦＦ制御信号等の電力供給制御信号を与え、各電源供給回路１１１1から１１１nを制御する。
【００１９】
この構成によれば、デバイス内の各回路部に最適な動作電圧が供給されるため、低消費電力化が図１８より図れるが、各電源供給回路１１１1から１１１nの制御がシステムの動作速度に依存する。
【００２０】
そして、上記した特許文献１（特開平１１−２６５２３４号公報）に開示した技術を図１９に示す従属関係を有するデバイス１１０1から１１０nのシステムに適用する場合につき考えてみる。
【００２１】
被駆動回路１１２の電源供給回路１１１1により電力供給される電圧１入力部が第１の駆動回路となり、電源供給回路１１１2から１１１nにより電力供給される電圧２〜ｎ入力部が第２の駆動回路となる。
【００２２】
この場合、電圧２〜ｎ入力部の第２駆動回路を独立制御するか、あるいは、１通りの第３駆動回路から第ｎ駆動回路を従属接続する制御となる。
【００２３】
また、特開平１１−２６５２３４号に示すシステムの第２の被駆動回路にデバイスのコア部、Ｉ／Ｏ部に２個或いはそれ以上の電源を従属的に制御する必要があるデバイスが該当する場合、被駆動回路の１次電源供給回路により電力供給される電圧１入力部が第２の駆動回路となり、２次電源供給回路により電力供給される電圧２〜ｎ入力部が第３の駆動回路となる。
【００２４】
この場合、電圧２〜ｎ入力部の第３駆動回路が独立制御するか、１通りの第４駆動回路から第ｎ＋１駆動回路を従属接続する制御となる。
【特許文献１】特開平１１−２６５２３４号公報
【発明の開示】
【発明が解決しようとする課題】
【００２５】
上記したように、コア部、Ｉ／Ｏ部に２個或いはそれ以上の電源を従属的に制御する必要があるデバイスに電力を供給する場合、電圧１入力部が必ず最初に電力供給され電圧２〜ｎ入力部は組み合わせからなる電力供給の制御が行われるため、従来技術では、電圧１〜ｎ入力部の複雑な組み合わせ、最適なタイミングを制御することができないという問題がある。
【００２６】
本発明は、上記した従来の問題を解決するためになされたものにして、コア部、Ｉ／Ｏ部に２個或いはそれ以上の電源を従属的に制御する必要があるデバイスに複雑な組み合わせ、最適なタイミングで電力供給を制御し、より低消費電力化を図れる電源装置を提供することを目的とする。
【課題を解決するための手段】
【００２７】
この発明は、２個以上の電源を従属的に制御する必要があり、異なる電圧で動作する複数の回路が内蔵された被駆動回路と、前記被駆動回路に内蔵された複数の回路にそれぞれ供給する電圧に応じた電力を供給する電源供給回路と、前記電源供給回路の駆動を制御する電力供給制御信号により前記被駆動回路の複数の回路への電圧入力部のＯＮ／ＯＦＦの組み合わせ条件に対応する制御信号を生成する電源供給回路用制御信号生成回路と、を備えたことを特徴とする。
【００２８】
前記電源供給回路は、デバイス用１次電源供給回路及び前記被駆動回路への電力を供給する２次電源供給回路とを備え、システムから入力されるクロック信号、リセット信号、被駆動回路電源供給状態信号等の制御信号及び１次電源供給電圧検出信号より２次電源供給回路を制御する２次電力供給制御信号及び被駆動回路を制御する信号を含む被駆動回路用制御信号を生成する２次電源供給回路用制御信号生成回路を備えたことを特徴とする。
【００２９】
上記した構成によれば、２個或いはそれ以上の電源を従属的に制御する必要があるデバイスに複雑な組み合わせ、最適なタイミングで電力供給を制御し、より低消費電力化を図れる電源装置を提供することができる。
【００３０】
コア部、Ｉ／Ｏ部に２個或いはそれ以上の電源を必要とするデバイスは必ず最初に動作させる回路部を持ち、その最初に動作させる回路に供給する電源供給回路（１次）と２番目以降に動作する回路部に供給する電源供給回路（２次）を従属的に制御する必要がある。デバイスの微細化が進み、回路規模が大きくなると低消費電力のため２次電源供給回路を複数持つため電源の制御が複雑となる。
【００３１】
上記したように、構成すれば、制御による誤動作（ソフトのバグ、暴走等）によるデバイスの誤動作、リーク電流の増大を防止し、かつシステムの制御を容易にすることができる。
【００３２】
また、この発明は２次電源供給回路用制御信号生成回路に電源を供給する制御回路用電源供給回路を備え、２次電源供給回路用制御信号生成回路により生成した信号を複数のデバイスに電力を供給し、各デバイスの電源を従属的に制御することを特徴とする。
【００３３】
上記したように、電源を制御する回路を共通化することにより回路の削減され、かつシステムの制御も一括制御が可能となる。
【００３４】
また、この発明は、デバイスに電力を供給する電源供給回路のうち最初に動作させる電源供給回路を１次電源供給回路にみたてシステムから入力されるクロック信号、リセット信号、被駆動回路電源供給状態信号等の制御信号、及びそれぞれのデバイス用の最初に動作させる電源回路の電源供給電圧検出信号よりそれぞれのデバイス用の電源供給回路を制御する電力供給制御信号及び被駆動回路を制御する被駆動回路用制御信号を生成する電源供給回路用制御信号生成回路と、電源供給回路用制御信号生成回路に電源を供給する制御回路用電源供給回路と、から構成されることを特徴とする。
【００３５】
上記したように、システムで電源を制御する回路を共通化することにより、１次電源供給回路の小型化が実現でき、かつ、システムの制御は一括制御が可能となる。
【００３６】
前記被駆動回路は、コア部、Ｉ／Ｏ部に２個或いはそれ以上の電源を従属的に制御する必要があるデバイスであることを特徴とする。また、前記被駆動回路は、電源の異なる被駆動回路から構成される装置に用いることもできる。
【００３７】
上記したように、コア部、Ｉ／Ｏ部に２個或いはそれ以上の電源を必要とするデバイスだけでなく単一電源を供給する複数のデバイスから構成されるシステムにも適用ができ、制御による誤動作（ソフトのバグ、暴走等）によるデバイスの誤動作、リーク電流の増大を防止しかつシステムの制御を容易にする。
【００３８】
また、この発明は、前記電源供給回路用制御信号生成回路を組み合わせ回路及びディレイ回路で構成することができる。
【００３９】
上記した構成により、各デバイスの被駆動回路用クロック、リセット等の被駆動回路用制御信号、各デバイスの１次電力供給制御信号、２次電力供給制御信号１〜ｎを組み合わせ回路と遅延回路により制御し、各信号出力することにより、電源供給回路用制御信号生成回路が構成され、制御による誤動作（ソフトのバグ、暴走等）によるデバイスの誤動作、リーク電流の増大を防止することができる。
【００４０】
また、この発明は、前記電源供給回路用制御信号生成回路をメモリ回路及びディレイ回路で構成することができる。
【００４１】
１次回路、２次回路に電力制御型レベルシフタを入力することにより １次回路供給回路の電圧と２次回路供給回路の電圧が異なる装置でも動作が安定する。
【００４２】
また、この発明は、デバイスに２個或いはそれ以上の電源を従属的に制御する必要があるデバイスを１個或いは２個以上搭載するシステムの前記デバイスにそれぞれ電源を供給する電源装置において、２個或いはそれ以上の電源を従属的に制御する必要がある被駆動回路と、前記被駆動回路の供給する電圧に応じた電力を供給する電源供給回路と、前記被駆動回路における電源供給条件に応じて与えられる被駆動回路電源供給状態信号と前記状態検出信号により前記電源供給回路の駆動を制御する電力供給制御信号を生成する電源供給回路用制御信号生成回路と、から構成される。
【００４３】
前記電源供給回路用制御信号生成回路をメモリ回路、状態変異検出回路、及びカウンタ回路で構成すると良い。
【００４４】
１次回路、２次回路に電力制御型レベルシフタを入力することにより １次回路供給回路の電圧と２次回路供給回路の電圧が異なる装置でも動作が安定する。
【発明の効果】
【００４５】
コア部、Ｉ／Ｏ部に２個或いはそれ以上の電源を必要とするデバイスは必ず最初に動作させる回路部を持ち、その最初に動作させる回路に供給する電源供給回路（１次）と２番目以降に動作する回路部に供給する電源供給回路（２次）を従属的に制御する必要がある。
【００４６】
そして、デバイスの微細化が進み、回路規模が大きくなると低消費電力のため２次電源供給回路を複数持つため電源の制御が複雑となる。
【００４７】
上記したように、本発明を用いれば、制御による誤動作（ソフトのバグ、暴走等）によるデバイスの誤動作、リーク電流の増大を防止し、かつシステムの制御を容易にすることができる。
【発明を実施するための最良の形態】
【００４８】
以下、この発明の実施形態につき図面を参照して説明する。
【００４９】
図１は、この発明の第１の実施形態にかかる電源装置を示すブロック回路図である。図１に示すシステムは、コア部、Ｉ／Ｏ部に２個或いはそれ以上の電源を従属的に制御する必要があるデバイス（被駆動回路）１１を備えるものである。
【００５０】
図１に示すように、電池からなる電源１０の電力が主制御等を行う主となる被駆動回路５に与えられる。この図１では、被駆動回路５を便宜上１つの回路のように記載しているが、実際は、主となる回路である被駆動回路５は単独で構成する場合もあるが、後述する被駆動回路１１の一部回路を含んで構成される場合もある。
【００５１】
電源１０からの電力は、複数の電源供給回路を内部に含む電源供給回路６に与えられる。
【００５２】
前記した被駆動回路５は、内部に電源供給回路、制御信号生成回路５ａを含み、この被駆動回路５が動作しない限り、従となる被駆動回路１１は動作しない。被駆動回路１１は、制御信号生成回路５ａから与えられる制御信号（クロック、リセット信号）等により制御される。また、制御信号生成回路５ａには、図示しないシステム全体を制御する制御回路より被駆動回路電源供給状態信号が与えられる。この被駆動回路電源供給状態信号は、予めどのようなタイミングで従となる被駆動回路１１を動作させるかを決めておき、その条件によって与えられる信号である。
【００５３】
電源供給回路６の各電源供給回路１〜ｎは、被駆動回路１１の２個或いはそれ以上の電圧入力部、図１に示す例では１〜ｎ個の電圧入力部（電圧１入力部〜電圧ｎ入力部）に対応して、それぞれの電圧に対応した電力を供給するものである。
【００５４】
制御信号生成回路５ａには、電源供給回路６の電源電圧を検出した信号が与えられ、この検出信号に基づき、前記した被駆動回路電源供給状態信号により、どの電源供給回路１〜ｎから電源を被駆動回路１１の電圧１〜ｎ入力部へ与えるか制御され、被駆動回路１１の中へ電力が従属的に制御されて与えられる。
【００５５】
上記したように、被駆動回路１１には、複数の動作すべき回路が内蔵されており、どの回路が動作されているかを制御信号生成回路５ａへ検出信号として与える。
【００５６】
制御信号生成回路５ａは、前記した被駆動回路電源供給状態信号と被駆動回路１１から与えられる検出信号に基づき、電源供給回路６の各電源供給回路１〜ｎの中からどの電源供給回路を動作させるか制御するための電力供給制御信号を出力する。
【００５７】
上記したように、図１に示すこの発明のシステムは、デバイスのコア部、Ｉ／Ｏ部に２個或いはそれ以上の電源を従属的に制御する必要があるデバイス１１を便宜上１個記載しているが、勿論複数のデバイス１１を制御することもできる。２個以上搭載するデバイス１１…の場合に、そのデバイスの数だけ電源供給回路６の数も増える。
【００５８】
そして、制御信号生成回路５ａから入力されるクロック信号、リセット信号、及びシステムから入力される被駆動回路電源供給状態信号等の制御信号、検出信号より電源供給回路６を制御する電源供給制御信号が生成され、電源供給回路６に与えられる。電源供給回路６の各電源供給回路１〜ｎは、ＯＮ／ＯＦＦ制御信号、待機状態ＯＮ／ＯＦＦ制御信号等の電源供給制御信号により、被駆動回路１１へ電力供給を制御して与える。
【００５９】
この図１に示すように、制御信号、被駆動回路電源供給状態信号を受けるとともに被駆動回路１１からのフィードバック信号により、被駆動回路１１をどの順序で動作させるかが制御される。
【００６０】
この図１に示す例においては、被駆動回路１１の中で最初に動作するのを電圧１入力部の回路としている。電源供給回路６は、電池あるいはシステム安定電源供給回路などの電源１０から被駆動回路用電力の供給を受け、被駆動回路で最初に動作する電力１入力部の回路（最初に電源を供給する必要がある回路）に電力を供給する。このため、電源供給回路１から電圧１入力部へ電力が与えられる。
【００６１】
電源供給回路２〜ｎは、電源供給回路６より被駆動回路用電力の供給を受け、被駆動回路で２番目以降に動作する電力２〜ｎ入力部の回路（２番目以降に電源を供給する必要がある回路）に電力を供給する。２番目以降に電源を供給する必要がある回路は、予め決められた条件に基づく。
【００６２】
制御信号生成回路５ａは、システムより被駆動回路電源供給状態信号、クロック、リセット等の制御信号、及び電源供給回路６内に設けられている電圧検出回路より電源供給電圧検出信号を受け、被駆動回路用クロック、リセット等の被駆動回路用制御信号、電力供給制御信号１〜ｎを出力する。
【００６３】
その電力供給制御信号１〜ｎにより、被駆動回路１１の電圧２〜ｎ入力部のＯＮ／ＯＦＦ組み合わせ条件、タイミングを制御し低消費電力化を図る。条件はどの順序で動作するかのタイミングであり、被駆動回路１１の動作検出により、制御信号生成回路５ａはフィードバックされ、被駆動回路１１の条件に応じた順序で駆動される。
【００６４】
次に、この発明のさらに具体的な実施形態を図２に従い説明する。図２に示す第２の実施形態は、図１に示す制御信号生成回路をクロック、リセット信号等を生成する第１の制御信号信号回路と、コア部、Ｉ／Ｏ部に２個或いはそれ以上の電源を従属的に制御する必要があるデバイス１１内に設けた２次電源供給回路用制御信号生成回路１７で構成している。このデバイス１１内の被駆動回路１６においてもコア部、Ｉ／Ｏ部に２個以上の電源を従属的に制御する必要がある回路が設けられている。
【００６５】
まず、この図２に示す実施形態においては、制御信号生成回路５ｂを含む図示しない被駆動回路が動作した後、コア部、Ｉ／Ｏ部に２個或いはそれ以上の電源を従属的に制御する必要があるデバイス１１1〜１１nが動作する。そして、各１デバイス１１1〜１１n内における被駆動回路１６の回路が予め決められたタイミングで従属的に電源が供給される。以下の説明では、デバイス１１1に電源１０から電源が供給された後の動作につき説明する。
【００６６】
デバイス１１1には、デバイスのコア部、Ｉ／Ｏ部に２個或いはそれ以上の電源を従属的に制御する必要があるデバイスである被駆動回路１６を備える。
【００６７】
デバイス１６に電力を供給するデバイス用１次電源供給回路４及び２次電源供給回路１８1〜１８nを備える。電源１０から１次電源供給回路４に電力が与えられる、この１次電力供給回路４から２次電源供給回路用制御信号生成回路１７、２次電源供給回路１８1〜１８n、被駆動回路１６にそれぞれ電力が与えられる。１次電源供給回路４の電圧は１次電源供給電圧検出回路１４で検出され、その検出結果を１次電源供給制御信号として２次電源供給回路用制御信号生成回路１７に与える。
【００６８】
１次電源供給回路４が起動すると、所定の遅れ時間後に予定電圧が供給できるようになる。電圧検出回路１４は、１次電圧供給回路４の供給電圧が所定電圧になったときに、Ｈｉｇｈ信号を２次電源供給回路用制御信号生成回路１７に与える。
【００６９】
２次電源供給回路１８1〜１８nは、被駆動回路１６の電圧１〜ｎ入力部にそれぞれ対応して設けられ、１次電源供給回路４からの電力をそれぞれの電圧１〜ｎ入力部の回路に応じた所定の電圧に変換して供給する。
【００７０】
２次電源供給回路用制御信号生成回路１７は、システムから入力されるクロック信号、リセット信号、被駆動回路電源供給状態信号等の制御信号、及び１次電源供給電圧検出回路１４からの検出信号より、２次電源供給回路１８1〜１８nを制御するＯＮ／ＯＦＦ制御信号、待機状態ＯＮ／ＯＦＦ制御信号等の２次電力供給制御信号及び被駆動回路を制御するクロックＯＮ／ＯＦＦ信号、リセット信号等の被駆動回路用制御信号を生成する。
【００７１】
上記したように、この実施形態は、システムで制御信号、被駆動回路電源供給状態信号を受け、被駆動回路用電源の制御をする２次電源供給回路用制御信号生成回路を持つことを特徴とするものである。
【００７２】
１次電源供給回路４は、電池あるいはシステム安定電源供給回路からなる電源１０から被駆動回路用電力の供給を受け、被駆動回路１６で最初に動作する電力１入力部の回路（最初に電源を供給する必要がある回路）に電力を供給する。
【００７３】
２次電源供給回路（１〜ｎ）１８1〜１８nは、１次電源供給回路４より被駆動回路用電力の供給を受け、被駆動回路１６で２番目以降に動作する電力２〜ｎ入力部の回路（２番目以降に電源を供給する必要がある回路）に電力を供給する。
【００７４】
２次電源供給回路用制御信号生成回路１７は、１次電源供給回路４より電力を供給される。
【００７５】
２次電源供給回路用制御信号生成回路１７は、システムより被駆動回路電源供給状態信号、制御信号生成回路５ｂよりクロック、リセット等の制御信号、及び１次電源供給電圧検出回路１４より１次電源供給電圧検出信号を受け、被駆動回路用クロック、リセット等の被駆動回路用制御信号、２次電力供給制御信号１〜ｎを出力する。
【００７６】
２次電源供給回路用制御信号生成回路１７より出力される２次電力供給制御信号１〜ｎにより、被駆動回路１６の電圧２〜ｎ入力部のＯＮ／ＯＦＦ組み合わせ条件、タイミングを制御し、低消費電力化を図るものである。
【００７７】
次に、上記した電源装置の動作を２次電源供給回路用制御信号生成回路１７の動作を中心にして説明する。
【００７８】
被駆動回路１６の電圧１〜ｎ入力部が図３に示す条件のときの２次電源供給回路用制御信号生成回路１７へ入力される信号と出力する信号との関係を図４に示す。
【００７９】
この図３及び図４を参照して、図２に示す実施形態の動作につき説明する。
＊は、１次電源供給回路１４がＯＮし、１次電源供給電圧検出回路１４からの１次電源供給制御信号（電圧検出信号）がＨｉｇｈとなる状態を示している。
【００８０】
この図２に示す回路は、まず被駆動回路１６の電圧１入力部の回路が動作した後、電圧２入力部から電圧ｎ入力部の中の回路が図３に示す条件に従い動作する。
【００８１】
１次電源供給回路１４がＯＮし、１次電源供給電圧検出回路１４からの１次電源供給制御信号（電圧検出信号）がＨｉｇｈとなり、被駆動回路１６に被駆動回路用制御信号としてシステムリセット信号が与えられる。そして、一次電源供給回路４から与えられる電力に従い被駆動回路１６がリセットされ、その状態を被駆動回路１６から２次電源供給回路用制御回路１７へ状態検出信号としてフィードバックされる。
【００８２】
被駆動回路１６の電圧１入力部の回路が動作すると電圧２入力部から電圧ｎ入力部の回路は図３の条件により動作するように、２次電源供給回路路用制御信号１７から各２次電源供給回路（２〜ｎ）１８2〜１８nに２次電力供給制御信号が与えられる。電圧１入力部の回路がＯＦＦの場合には、電圧２〜ｎ入力部の全ての回路はＯＦＦとなる。
【００８３】
電圧１入力部の回路がＯＮの場合に、ａがＯＮの場合にのみ、ｂがＯＮ／ＯＦＦが可能となる。電圧１入力部の回路がＯＮの場合に、ｃがＯＮの場合にのみ、ｄがＯＮ／ＯＦＦが可能で、且つ、ｃ、ｄが同時にＯＮする場合には、ｃがｄより早く立ち上がり、ｃ、ｄが同時にＯＦＦする場合にはｄがｃより早く立ち下がる。電圧１入力部の回路がＯＮの場合に、ｅ１〜ｅｎ−１の場合にのみ、ｆがＯＮ／ＯＦＦする。
【００８４】
上記の条件を満足するには、図４に示す被駆動回路電源供給状態信号をシステムより２次電源供給回路用制御信号生成回路１７に与えればよい。２次電源供給回路用制御信号生成回路１７は、被駆動回路１６からの状態検出信号と、供給された被駆動回路電源供給状態信号に基づき、２次電源供給制御信号を各２次電源供給回路（２〜ｎ）１８2〜１８nに与える。
【００８５】
図３及び図４において、ａ，ｂ、ｃ、…ｅ、ｆとしているのは、電圧２〜ｎ入力部のどの入力部にａ，ｂ、ｃ、…ｅ、ｆの信号を対応させるかは、要求によって変えられるように、一般的に表示したものである。例えば、ａが電圧２入力部、ｂが電圧３入力部、ｅ１が電圧２入力部、ｅｎ−１が電圧ｎ−１入力部、ｆが電圧ｎ入力部の場合など、動作させる回路の条件により適宜決定すれば良い。また、用途によっては、ａが電圧１入力部になる場合もある。
【００８６】
上記の図３に示す条件により、被駆動回路１６の電圧１入力部から電圧ｎ入力部の回路を動作させるためには、図４に示す信号をそれぞれ生成し、入力すればよい。
【００８７】
なお、図３に示す条件は、あくまでも一例であり、使用する被駆動回路１６により、条件を選択し設定すればよい。
【００８８】
図４のタイミングチャートに示すように、システムから与えられる被駆動回路電源供給状態信号の１次電力供給制御信号が１次電源供給回路４へ与えられると、１次電源供給回路１４がＯＮし、所定の遅れ時間の後に、１次電源供給回路４の供給電圧が所定の電圧になり、１次電源供給制御信号（電圧検出信号）がＨｉｇｈとなる。
【００８９】
２次電源供給回路１８は、２次電源供給制御信号でＯＮ／ＯＦＦ制御が行われる。この２次電源供給回路１８の構成の一例を図６に示す。１次電源供給回路４から与えられる１次電源が２次電源供給回路１８内の２次電源供給回路１８０に与えられる。この２次電源供給回路１８０に２次電源供給制御信号が与えられ、ＯＮになると、２次電源供給回路１８０が起動する。２次電力供給回路１８０が起動すると、所定の遅れ時間の後に予定電圧を供給できる状態となる。２次電源供給電圧検出回路１８１は、２次電源供給回路１８０の供給電圧が所定電圧になったときに、Ｈｉｇｈ信号を電圧入力部へリセット信号として与える。システムクロック信号が与えられるアンド回路１８２にも２次電源供給電圧検出回路１８１からの検出信号が与えられ、このアンド回路１８２から電圧入力部へクロック信号が与えられる。
【００９０】
前記したように、リセット信号は被駆動回路１６の電圧入力部に与えられる。Ｈｉｇｈのリセット信号を与えられた電圧入力部の回路は、その時点で前記の安定なクロック信号を得るとともに、２次電源供給回路１８０から電源ライン３１を通じて必要な電力を得て動作を開始することになる。
【００９１】
上記の構成であれば、主たる電力供給回路（１次電力供給回路）を駆動するときにはこれに従属する他の電力供給回路（２次電力供給回路）を常態的に動作させる構成に比べて低消費電力化が図れる。即ち、従属する電力供給回路における電力の供給常態を必要なときのみ行うことが可能となる。
【００９２】
図５は、上記した２次電源供給回路用制御信号生成回路１７の具体的な実施形態を示すブロック図である。この図５に示す回路は、上記した図３に示す条件を満足するように構成されており、図４に示す１次電源供給検出信号、被駆動回路供給状態信号（２次）が与えられたとき、図４に示す２次電源供給制御信号を出力するものである。
【００９３】
図５に示すように、２次電源供給回路用制御信号生成回路１７をアンドゲート１９０〜１９４からなる組み合わせ回路、遅延回路（Delay回路）２００ａ、２００ｂで、オア回路２０１ａ、２０１ｂで構成し、システムより被駆動回路電源供給状態信号、制御信号生成回路よりリセット等の制御信号、及び各デバイスの１次電源供給電圧検出回路よりそれぞれの１次電源供給電圧検出信号を受け、各デバイスの被駆動回路用クロック、リセット等の被駆動回路用制御信号、各デバイスの１次電力供給制御信号、２次電力供給制御信号１〜ｎを組み合わせ回路と遅延回路により制御し各信号出力する。
【００９４】
図７は、上記した２次電源供給回路用制御信号生成回路１７の具体的な他の実施形態を示すブロック図である。この図７に示す回路は図５に示す回路と同じく上記した図３に示す条件を満足するように構成されており、図４に示す１次電源供給検出信号、被駆動回路供給状態信号（２次）が与えられたとき、図４に示す２次電源供給制御信号を出力するものである。
【００９５】
この図７に示す回路は、メモリ回路１７０と遅延回路２００からなり、システムより被駆動回路電源供給状態信号、制御信号生成回路よりリセット等の制御信号、及び各デバイスの１次電源供給電圧検出回路よりそれぞれの１次電源供給電圧検出信号を受け、各デバイスの被駆動回路用クロック、リセット等の被駆動回路用制御信号、各デバイスの１次電力供給制御信号、２次電力供給制御信号１〜ｎをメモリ回路１７０と遅延回路２００により制御し各信号出力する。
【００９６】
次に、この発明のさらに具体的な他の実施形態を図８に従い説明する。図２に示すものにおいては、各デバイス１１内に２次電源供給回路用制御信号生成回路１７を設けているのに対し、図８に示す第３の実施形態は、１番最初に駆動されるデバイス１１1に２次電源供給回路用制御信号生成回路を設け、この回路を他のデバイス１１2〜１１ｎ1で兼用したものである。この実施形態は、制御回路用電源供給回路を共通化することにより回路規模削減を目的とするものである。
【００９７】
まず、この図８に示す実施形態においては、制御信号生成回路５ｂを含む図示しない被駆動回路が動作した後、コア部、Ｉ／Ｏ部に２個或いはそれ以上の電源を従属的に制御する必要があるデバイス１１1〜１１nが動作する。そして、各１デバイス１１1〜１１n内における被駆動回路１６の回路が予め決められたタイミングで従属的に電源が供給される。そして、各デバイス１１1〜１１nの内デバイス１１1が最初に動作する。この最初に動作するデバイス１１1に電源１０から電源が供給された後の動作につき説明する。
【００９８】
デバイス１１1には、デバイスのコア部、Ｉ／Ｏ部に２個或いはそれ以上の電源を従属的に制御する必要があるデバイスである被駆動回路１６を備える。
【００９９】
デバイス１６に電力を供給するデバイス用１次電源供給回路１４及び２次電源供給回路１８1〜１８nを備える。２次電源供給回路用制御信号生成回路１７は、電源１０から制御信号生成回路用電源供給回路６を経て電力を供給される。電源１０から１次電源供給回路４に電力が与えられる、この１次電力供給回路４から２次電源供給回路１８1〜１８n、被駆動回路１６にそれぞれ電力が与えられる。１次電源供給回路４の電圧は１次電源供給電圧検出回路１４で検出され、その検出結果を１次電源供給制御信号として２次電源供給回路用制御信号生成回路１７に与える。
【０１００】
１次電源供給回路４が起動すると、所定の遅れ時間後に予定電圧が供給できるようになる。電圧検出回路１４は、１次電圧供給回路４の供給電圧が所定電圧になったときに、Ｈｉｇｈ信号を２次電源供給回路用制御信号生成回路１７に与える。
【０１０１】
２次電源供給回路１８1〜１８nは、被駆動回路１６の電圧１〜ｎ入力部にそれぞれ対応して設けられ、１次電源供給回路４からの電力をそれぞれの電圧１〜ｎ入力部の回路に応じた所定の電圧に変換して供給する。
【０１０２】
２次電源供給回路用制御信号生成回路１７は、制御信号生成回路用電源供給回路６から電力を受けて起動され、システムから入力されるクロック信号、リセット信号、被駆動回路電源供給状態信号等の制御信号、及び１次電源供給電圧検出回路１４からの検出信号より、２次電源供給回路１８1〜１８nを制御するＯＮ／ＯＦＦ制御信号、待機状態ＯＮ／ＯＦＦ制御信号等の２次電力供給制御信号及び被駆動回路を制御するクロックＯＮ／ＯＦＦ信号、リセット信号等の被駆動回路用制御信号を生成する。
【０１０３】
上記したように、この実施形態は、１番最初に駆動されるデバイス１１1に２次電源供給回路用制御信号生成回路１７及びこれを駆動するための制御信号生成回路用電源供給回路６を設け、この回路を他のデバイス１１2〜１１ｎ1で兼用したものである。このように、システムで電源を制御する回路を共通化し、回路が削減される。他の構成は図２に示すものと同様に構成される。また、２次電源供給回路用制御信号生成回路１７を他のデバイス１１2〜１１ｎ1で用いるために、他のデバイス１１2〜１１ｎ1でからの状態検出信号が２次電源供給回路用制御信号生成回路１７に与えられる。
【０１０４】
２次電源供給回路用制御信号生成回路１７の生成する信号は、上記した図３，図４と同様にして生成される。そして、具体的な回路も図６、図７のように構成すればよい。
【０１０５】
１次電源供給回路４は、電池あるいはシステム安定電源供給回路からなる電源１０から被駆動回路用電力の供給を受け、被駆動回路１６で最初に動作する電力１入力部の回路（最初に電源を供給する必要がある回路）に電力を供給する。
【０１０６】
２次電源供給回路（１〜ｎ）１８1〜１８nは、１次電源供給回路４より被駆動回路用電力の供給を受け、被駆動回路１６で２番目以降に動作する電力２〜ｎ入力部の回路（２番目以降に電源を供給する必要がある回路）に電力を供給する。
【０１０７】
２次電源供給回路用制御信号生成回路１７は、システムより被駆動回路電源供給状態信号、制御信号生成回路５ａよりクロック、リセット等の制御信号、及び１次電源供給電圧検出回路１４より１次電源供給電圧検出信号を受け、被駆動回路用クロック、リセット等の被駆動回路用制御信号、２次電力供給制御信号１〜ｎを出力する。
【０１０８】
２次電源供給回路用制御信号生成回路１７より出力される２次電力供給制御信号１〜ｎにより、被駆動回路１６の電圧２〜ｎ入力部のＯＮ／ＯＦＦ組み合わせ条件、タイミングを制御し、低消費電力化を図るとともに回路規模の削減を図る。ものである。
【０１０９】
各デバイスの２次電源供給回路用制御信号生成回路を共通化し、２次電力供給制御信号１〜ｎを生成することにより、回路規模の削減を図る。
【０１１０】
次に、この発明のさらに具体的な他の実施形態を図９に従い説明する。図２に示すものにおいては、各デバイス１１内に２次電源供給回路用制御信号生成回路１７を設けているのに対し、図９に示す第４の実施形態は、１番最初に駆動されるデバイス１１1に２次電源供給回路用制御信号生成回路を設け、この回路を他のデバイス１１2〜１１ｎ1で兼用したものである。更に、この第４の実施形態は各デバイスの２次となる電源供給回路を、図２、図８に示すように、１次電源供給回路から供給せず、電池あるいはシステム安定電源供給回路より供給することにより、電源供給回路の負荷を軽くし規模の削減を図ったものである。即ち、この実施形態は、制御回路用電源供給回路を簡素化することにより回路規模削減を目的とするものである。
【０１１１】
まず、この図９に示す実施形態においては、図８に示す実施形態と同様に、制御信号生成回路５ｂを含む図示しない被駆動回路が動作した後、コア部、Ｉ／Ｏ部に２個或いはそれ以上の電源を従属的に制御する必要があるデバイス１１1〜１１nが動作する。そして、各１デバイス１１1〜１１n内における被駆動回路１６の回路が予め決められたタイミングで従属的に電源が供給される。そして、各デバイス１１1〜１１nの内デバイス１１1が最初に動作する。この最初に動作するデバイス１１1に電源１０から電源が供給された後の動作につき説明する。
【０１１２】
デバイス１１1には、デバイスのコア部、Ｉ／Ｏ部に２個或いはそれ以上の電源を従属的に制御する必要があるデバイスである被駆動回路１６を備える。
【０１１３】
デバイス１６に電力を供給するデバイス用１次電源供給回路１４及び２次電源供給回路１８1〜１８nを備える。２次電源供給回路用制御信号生成回路１７は、電源１０から制御信号生成回路用電源供給回路６を経て電力を供給される。電源１０から電源供給回路１９1〜１９nに電力が与えられる。この電源供給回路１９1〜１９nから被駆動回路１６にそれぞれ電力が与えられる。電源供給回路１９1の電圧は電源供給１電圧検出回路１４で検出され、その検出結果を電源供給１制御信号として電源供給回路用制御信号生成回路８に与える。
【０１１４】
電源供給回路１９1が起動すると、所定の遅れ時間後に予定電圧が供給できるようになる。電圧検出回路９は、電源供給回路１９1の供給電圧が所定電圧になったときに、Ｈｉｇｈ信号を電源供給回路用制御信号生成回路８に与える。
【０１１５】
電源供給回路１８1〜１８nは、被駆動回路１６の電圧１〜ｎ入力部にそれぞれ対応して設けられ、電源１０からの電力をそれぞれの電圧１〜ｎ入力部の回路に応じた所定の電圧に変換して供給する。
【０１１６】
電源供給回路用制御信号生成回路８は、制御信号生成回路用電源供給回路７から電力を受けて起動され、システムから入力されるクロック信号、リセット信号、被駆動回路電源供給状態信号等の制御信号、及び電源供給１電圧検出回路９からの検出信号より、電源供給回路１９1〜１９nを制御するＯＮ／ＯＦＦ制御信号、待機状態ＯＮ／ＯＦＦ制御信号等の電力供給制御信号及び被駆動回路を制御するクロックＯＮ／ＯＦＦ信号、リセット信号等の被駆動回路用制御信号を生成する。
【０１１７】
上記したように、この実施形態は、１番最初に駆動されるデバイス１１1に電源供給回路用制御信号生成回路８及びこれを駆動するための制御信号生成回路用電源供給回路７を設け、この回路を他のデバイス１１2〜１１ｎ1で兼用したものである。このように、システムで電源を制御する回路を共通化し、回路が削減加される。各デバイスの２次となる電源供給回路を、電源１０より供給するものである。他の構成は図８に示すものと同様に構成される。また、２次電源供給回路用制御信号生成回路８を他のデバイス１１2〜１１ｎ1で用いるために、他のデバイス１１2〜１１ｎ1でからの状態検出信号が２次電源供給回路用制御信号生成回路８に与えられる。
【０１１８】
２次電源供給回路用制御信号生成回路８の生成する信号は、上記した図３，図４と同様にして生成される。そして、具体的な回路も図６、図７のように構成すればよい。
【０１１９】
電源供給回路１９1は、電池あるいはシステム安定電源供給回路からなる電源１０から被駆動回路用電力の供給を受け、被駆動回路１６で最初に動作する電力１入力部の回路（最初に電源を供給する必要がある回路）に電力を供給する。
【０１２０】
電源供給回路（１〜ｎ）１９1〜１９nは、電源１０より被駆動回路用電力の供給を受け、被駆動回路１６で２番目以降に動作する電力２〜ｎ入力部の回路（２番目以降に電源を供給する必要がある回路）に電力を供給する。
【０１２１】
電源供給回路用制御信号生成回路８は、システムより被駆動回路電源供給状態信号、制御信号生成回路５ａよりクロック、リセット等の制御信号、及び１次電源供給電圧検出回路１４より１次電源供給電圧検出信号を受け、被駆動回路用クロック、リセット等の被駆動回路用制御信号、２次電力供給制御信号１〜ｎを出力する。
【０１２２】
電源供給回路用制御信号生成回路８より出力される電力供給制御信号１〜ｎにより、被駆動回路１６の電圧２〜ｎ入力部のＯＮ／ＯＦＦ組み合わせ条件、タイミングを制御し、低消費電力化を図るとともに回路規模の削減を図るものである。
【０１２３】
上記した実施形態においては、被駆動部１６として、図１０に示すように、被駆動回路が、コア部、Ｉ／Ｏ部に２個或いはそれ以上の電源を従属的に制御する必要があるデバイスについて説明したが、図１１に示すように、単一電源を供給する複数の回路（１〜ｎ）から構成されるシステム１１’にも上記実施形態は適用できる。
【０１２４】
このように、コア部、Ｉ／Ｏ部に２個或いはそれ以上の電源を従属的に制御する必要があるデバイスだけでなく、電源の異なる被駆動回路から構成される装置に適用し、低消費電力化、回路規模削減が行える。
【０１２５】
図１２は、この発明の第５の実施形態にかかる電源装置を示すブロック回路図である。図１２に示すシステムは、図１に示す第１の実施形態と同じくコア部、Ｉ／Ｏ部に２個或いはそれ以上の電源を従属的に制御する必要があるデバイス１１を備えるものである。
【０１２６】
図１２に示すように、電池からなる電源１０の電力が主制御等を行う主となる被駆動回路５に与えられる。この図１２では、被駆動回路５を便宜上１つの回路のように記載しているが、実際は、主となる回路である被駆動回路５は単独で構成する場合もあるが、後述する被駆動回路１１の一部回路を含んで構成される場合もある。
【０１２７】
電源１０からの電力は、複数の電源供給回路を内部に含む電源供給回路６に与えられる。
【０１２８】
前記した被駆動回路５は、内部に電源供給回路、制御信号生成回路５ａを含み、この被駆動回路５が動作しない限り、従となる被駆動回路１１は動作しない。被駆動回路１１は、制御信号生成回路５ａから与えられる制御信号（クロック、リセット信号）等により制御される。また、制御信号生成回路５ａには、図示しないシステム全体を制御する制御回路より被駆動回路電源供給状態信号が与えられる。この被駆動回路電源供給状態信号は、予めどのようなタイミングで従となる被駆動回路１１を動作させるかを決めておき、その条件によって与えられる信号である。
【０１２９】
電源供給回路６の各電源供給回路１〜ｎは、被駆動回路１１の２個或いはそれ以上の電圧入力部、図１２に示す例では１〜ｎ個の電圧入力部（電圧１入力部〜電圧ｎ入力部）に対応して、それぞれの電圧に対応した電力を供給するものである。
【０１３０】
制御信号生成回路５ａには、電源供給回路６の電源電圧を検出した信号が与えられ、この検出信号に基づき、前記した被駆動回路電源供給状態信号により、どの電源供給回路１〜ｎから電源を被駆動回路１１の電圧１〜ｎ入力部へ与えるか制御され、被駆動回路１１の中へ電力が従属的に制御されて与えられる。
【０１３１】
上記したように、被駆動回路１１には、複数の動作すべき回路が内蔵されておいる。
【０１３２】
制御信号生成回路５ａは、前記した被駆動回路電源供給状態信号と被駆動回路電源供給状態信号の状態を検出した検出信号に基づき、電源供給回路６の各電源供給回路１〜ｎの中からどの電源供給回路を動作させるか制御するための電力供給制御信号を出力する。
【０１３３】
上記したように、図１２に示すこの発明のシステムは、図１に示すものと同様に、デバイスのコア部、Ｉ／Ｏ部に２個或いはそれ以上の電源を従属的に制御する必要があるデバイス１１を便宜上１個記載しているが、勿論複数のデバイス１１を制御することもできる。２個以上搭載するデバイス１１…の場合に、そのデバイスの数だけ電源供給回路６の数も増える。
【０１３４】
そして、制御信号生成回路５ａから入力されるクロック信号、リセット信号、及びシステムから入力される被駆動回路電源供給状態信号等の制御信号、検出信号より電源供給回路６を制御する電源供給制御信号が生成され、電源供給回路６に与えられる。電源供給回路６の各電源供給回路１〜ｎは、ＯＮ／ＯＦＦ制御信号、待機状態ＯＮ／ＯＦＦ制御信号等の電源供給制御信号により、被駆動回路１１へ電力供給を制御して与える。
【０１３５】
この図１２に示すように、制御信号、被駆動回路電源供給状態信号を受けるとともに電力供給信号からのフィードバック信号により、被駆動回路１１をどの順序で動作させるかが制御される。
【０１３６】
この図１２に示す例においては、被駆動回路１１の中で最初に動作するのを電圧１入力部の回路としている。電源供給回路６は、電池あるいはシステム安定電源供給回路などの電源１０から被駆動回路用電力の供給を受け、被駆動回路で最初に動作する電力１入力部の回路（最初に電源を供給する必要がある回路）に電力を供給する。このため、電源供給回路１から電圧１入力部へ電力が与えられる。
【０１３７】
電源供給回路２〜ｎは、電源供給回路６より被駆動回路用電力の供給を受け、被駆動回路で２番目以降に動作する電力２〜ｎ入力部の回路（２番目以降に電源を供給する必要がある回路）に電力を供給する。２番目以降に電源を供給する必要がある回路は、予め決められた条件に基づく。
【０１３８】
制御信号生成回路５ａは、システムより被駆動回路電源供給状態信号、電力供給信号からのフィードバック信号、クロック、リセット等の制御信号、及び電源供給回路６内に設けられている電圧検出回路より電源供給電圧検出信号を受け、被駆動回路用クロック、リセット等の被駆動回路用制御信号、電力供給制御信号１〜ｎを出力する。
【０１３９】
その電力供給制御信号１〜ｎにより、被駆動回路１１の電圧２〜ｎ入力部のＯＮ／ＯＦＦ組み合わせ条件、タイミングを制御し低消費電力化を図る。条件はどの順序で動作するかのタイミングであり、電力供給状態信号からのフィードバック信号により、制御信号生成回路５ａはフィードバックされ、被駆動回路１１の条件に応じた順序で駆動される。
【０１４０】
次に、この発明のさらに具体的な実施形態を図１３に従い説明する。図１３に示す第６の実施形態は、図１２に示す制御信号生成回路をクロック、リセット信号等を生成する第１の制御信号信号回路と、コア部、Ｉ／Ｏ部に２個或いはそれ以上の電源を従属的に制御する必要があるデバイス１１内に設けた２次電源供給回路用制御信号生成回路１７で構成している。このデバイス１１内の被駆動回路１６においてもコア部、Ｉ／Ｏ部に２個以上の電源を従属的に制御する必要がある回路が設けられている。この図１３に示す実施形態と図２に示す第２の実施形態とは、２次電源供給制御信号生成回路１７へ与えるフィードバック信号が異なる以外は同じ構成である。即ち、図２に示す第２の実施形態が被駆動回路１６からの状態信号をフィードバック信号に用いているのに対し、この図１３に示す実施形態では、２次電力供給制御信号からの信号をフィードバック信号に用いた以外は図２に示す実施形態と同じである。説明の重複を避けるために、同じ部分には同じ符号を付し、説明を割愛する。
【０１４１】
この図１３に示す第６の実施形態においても、図３に示す条件により、図４に示す信号を出力する。図１４は、この第６の実施形態における２次電源供給回路用制御信号生成回路１７の具体的実施形態を示すブロック図である。
【０１４２】
図１４に示すように、２次電源供給回路用制御信号生成回路１７を組み合わせ回路と遅延回路（Delay回路）から構成し、システムより被駆動回路電源供給状態信号、制御信号生成回路よりリセット等の制御信号、及び各デバイスの１次電源供給電圧検出回路よりそれぞれの１次電源供給電圧検出信号を受け、各デバイスの被駆動回路用クロック、リセット等の被駆動回路用制御信号、各デバイスの１次電力供給制御信号、２次電力供給制御信号１〜ｎをメモリ回路１７０、状態変異検出回路１７１、及びカウンタ回路１７２により制御し各信号出力する。
【０１４３】
次に、この発明のさらに具体的な実施形態を図１５に従い説明する。図１５に示す第７の実施形態は図８に示す第３の実施形態とは、２次電源供給制御信号生成回路１７へ与えるフィードバック信号が異なる以外は同じ構成である。即ち、図８示す第３の実施形態が被駆動回路１６からの状態信号をフィードバック信号に用いているのに対し、この図１５に示す実施形態では、２次電力供給制御信号からの信号をフィードバック信号に用いた以外は図８に示す実施形態と同じである。説明の重複を避けるために、同じ部分には同じ符号を付し、説明を割愛する。
【０１４４】
次に、この発明のさらに具体的な実施形態を図１６に従い説明する。図１６に示す第８実施形態は図９に示す第４の実施形態とは、電源供給制御信号生成回路８へ与えるフィードバック信号が異なる以外は同じ構成である。即ち、図９示す第４の実施形態が被駆動回路１６からの状態信号をフィードバック信号に用いているのに対し、この図６５に示す実施形態では、電力供給制御信号からの信号をフィードバック信号に用いた以外は図９に示す実施形態と同じである。説明の重複を避けるために、同じ部分には同じ符号を付し、説明を割愛する。  
【図面の簡単な説明】
【０１４５】
【図１】この発明の第１の実施形態にかかる電源装置を示すブロック回路図である。
【図２】この発明の第２の実施形態にかかる電源装置を示すブロック回路図である。
【図３】被駆動回路の動作の条件の一例を示す図である。
【図４】図３に示す条件における制御信号を示すタイミング図である。
【図５】２次電源供給回路用制御回路の具体例を示すブロック図である。
【図６】２次電源供給回路の一例を示すブロック図である。
【図７】２次電源供給回路用制御回路の異なる具体例を示すブロック図である。
【図８】この発明の第３の実施形態にかかる電源装置を示すブロック回路図である。
【図９】この発明の第４の実施形態にかかる電源装置を示すブロック回路図である。
【図１０】被駆動回路の一例を示すブロック図である。
【図１１】被駆動回路の他の例を示すブロック図である。
【図１２】この発明の第５の実施形態にかかる電源装置を示すブロック回路図である。
【図１３】この発明の第６の実施形態にかかる電源装置を示すブロック回路図である。
【図１４】２次電源供給回路の一例を示すブロック図である。
【図１５】この発明の第７の実施形態にかかる電源装置を示すブロック回路図である。
【図１６】この発明の第８の実施形態にかかる電源装置を示すブロック回路図である。
【図１７】従来の電源装置を示すブロック回路図である。
【図１８】従来の電源装置を示すブロック回路図である。
【図１９】従来の電源装置を示すブロック回路図である。
【符号の説明】
【０１４６】
１０  電源
６    電源供給回路
５    被駆動回路
１１  被駆動回路
【図１】
2006139801.tif 000003
【図２】
2006139801.tif 000004
【図３】
2006139801.tif 000005
【図４】
2006139801.tif 000006
【図５】
2006139801.tif 000007
【図７】
2006139801.tif 000008
【図８】
2006139801.tif 000009
【図９】
2006139801.tif 000010
【図１０】
2006139801.tif 000011
【図１１】
2006139801.tif 000012
【図１２】
2006139801.tif 000013
【図１３】
2006139801.tif 000014
【図１４】
2006139801.tif 000015
【図１５】
2006139801.tif 000016
【図１６】
2006139801.tif 000017
【図１７】
2006139801.tif 000018
【図６】
2006139801.tif 000019
【図１８】
2006139801.tif 000020
【図１９】
2006139801.tif 000021